(57)【要約】【目的】ユーザが契約チャンネルを長期間視聴しなかった場合でも契約更新を可能にするディジタル放送受信装置を提供する。【構成】放送受信装置３０は、自動起動して受信チャンネルから番組表データを分離して保存する機能、及び契約チャンネルを受信した際に取得した契約更新予定情報に基づいて自動起動して契約チャンネルの視聴に必要な更新情報を分離して保存する機能を備える。そして、ＣＰＵ１３は、契約チャンネルに関する情報（ユーザ入力された契約チャンネル番号，契約チャンネルの受信履歴等）をメモリ１４に格納し、前記契約チャンネルに関する情報に基づき、番組表データを取得するための自動起動ディジタル放送波受信に際して契約チャンネルを選局するよう制御する。【選択図】　　　　　　　　図１
2004072205.tif 000002
【特許請求の範囲】
【請求項１】
自動起動して受信チャンネルから番組表データを分離して保存する機能、及び契約チャンネルを受信した際に取得した契約更新予定情報に基づいて自動起動して契約チャンネルの視聴に必要な更新情報を分離して保存する機能を備えたディジタル放送受信装置において、契約チャンネルに関する情報を格納する記憶手段と、前記契約チャンネルに関する情報に基づき、番組表データを取得するための自動起動ディジタル放送波受信に際して契約チャンネルを選局する制御手段と、を備えたことを特徴とするディジタル放送受信装置。
【請求項２】
請求項１に記載のディジタル放送受信装置において、前記契約チャンネルに関する情報として各契約チャンネルの受信履歴情報及び／又は契約更新予定情報の取得日を記憶手段に格納し、番組表データを取得するための自動起動ディジタル放送波受信に際してどの契約チャンネルを選局するかを前記受信履歴情報及び／又は契約更新予定情報の取得日に基づいて選定するように構成されたことを特徴とするディジタル放送受信装置。
【請求項３】
請求項２に記載のディジタル放送受信装置において、番組表データを取得するための自動起動ディジタル放送波受信の契約チャンネル選局状態は、当該契約チャンネル受信の合計時間が所定時間を越えたときには終了し、この終了後に次の契約チャンネルを選局するように構成されたことを特徴とするディジタル放送受信装置。
【請求項４】
請求項３に記載のディジタル放送受信装置において、前記所定時間内でも契約更新予定情報が取得できたときには、当該契約チャンネル選局を終了して次の契約チャンネルを選局するように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、契約チャンネルが存在しており、各ユーザの契約情報はＩＣカードに格納され、視聴の可否が管理される。ユーザが契約手続きを行うと、契約情報を放送波に多重して送るチャンネルと時間帯が放送局から指示される。ユーザはその指示に従って受信装置の受信チャンネルを契約チャンネルに合わせておくことで、受信装置はＥＭＭ（Ｅｎｔｉｔｌｅｍｅｎｔ　Ｍａｎａｇｅｍｅｎｔ　Ｍｅｓｓａｇｅ）セクションを取得し、契約情報を取り出してＩＣカードに記録する。
【０００４】
多くの場合、契約期間は限定されているため、一定期間後に契約の更新処理を行う必要がある。契約更新はユーザに特別の操作をさせずに自動で行われる仕組みになっている。具体的には、契約チャンネル受信時に契約更新予定情報（契約更新情報を放送するチャンネルと放送時間）を取得しておき、電源ＯＦＦ後の所定期間後に前記契約更新予定に従って自動的に選局して契約更新を行う。或いは、視聴金額の通知処理（視聴履歴発呼制御）の際に契約更新予定を取得し、その情報に基づいて契約更新を行うことも可能になっている。
【０００５】
また、衛星ディジタル放送では、番組表データ（８日分程度）が６分程度の周期で全チャンネルにより送出される。再送周期が遅いために、多くの受信装置はデータ更新時間（ＡＭ０時）後に番組表データの取得処理を実行する。ＡＭ０時後に更新が行われるため、ユーザは番組を見ていない場合が多く、データ取得時には受信装置は自動的に起動し、取得した情報をメモリに格納して自動的に電源ＯＦＦを行う。
【０００６】
【発明が解決しようとする課題】
しかしながら、契約チャンネルを長期間視聴しなかった場合や、視聴履歴発呼制御の際に電話線を抜いていた場合などには、契約更新予定情報を取得することができない。この場合、契約更新処理が行えず、再契約の手続きを行っている間は、ユーザは契約チャンネルを見ることができないことになる。
【０００７】
この発明は、上記の事情に鑑み、ユーザが契約チャンネルを長期間視聴しなかった場合でも契約更新を可能にするディジタル放送受信装置を提供することを目的とする。
【０００８】
【課題を解決するための手段】
この発明のディジタル放送受信装置は、上記の課題を解決するために、自動起動して受信チャンネルから番組表データを分離して保存する機能、及び契約チャンネルを受信した際に取得した契約更新予定情報に基づいて自動起動して契約チャンネルの視聴に必要な更新情報を分離して保存する機能を備えたディジタル放送受信装置において、契約チャンネルに関する情報を格納する記憶手段と、前記契約チャンネルに関する情報に基づき、番組表データを取得するための自動起動ディジタル放送波受信に際して契約チャンネルを選局する制御手段と、を備えたことを特徴とする。
【０００９】
上記の構成であれば、番組表データを取得するための自動起動ディジタル放送波受信に際しては契約チャンネルが選局されることになり、契約チャンネルが選局されれば、契約更新予定情報の取得が可能になり、この契約更新予定情報に基づいて自動起動して契約チャンネルの視聴に必要な更新情報を分離して保存することができるので、ユーザが契約チャンネルを長期間視聴しなかった場合でも契約更新を可能にすることができる。
【００１０】
前記契約チャンネルに関する情報として各契約チャンネルの受信履歴情報及び／又は契約更新予定情報の取得日を記憶手段に格納し、番組表データを取得するための自動起動ディジタル放送波受信に際してどの契約チャンネルを選局するかを前記受信履歴情報及び／又は契約更新予定情報の取得日に基づいて選定するように構成されているのがよい。例えば、一定期間の内の受信時間が短い方の契約チャンネルを優先して選局したり、或いは、最後に受信した時から現時点までの期間が長い方の契約チャンネルを優先して選局したり、或いは、最後の契約更新予定情報の取得日から現時点までの期間が長い方の契約チャンネルを優先して選局するといった処理が行われることになる。
【００１１】
番組表データを取得するための自動起動ディジタル放送波受信の契約チャンネル選局状態は、当該契約チャンネル受信の合計時間が所定時間を越えたときには終了し、この終了後に次の契約チャンネルを選局するように構成されているのがよい。これによれば、一つの契約チャンネルについての選局状態が長く続いてしまうといった事態を防止することができる。なお、前述の当該契約チャンネル受信の合計時間にはユーザによる当該契約チャンネルの視聴時間（受信履歴情報より取得可）を含めることができる。
【００１２】
前記所定時間内でも契約更新予定情報が取得できたときには、当該契約チャンネル選局を終了して次の契約チャンネルを選局するように構成されているのがよい。これによれば、契約更新予定情報が取得できたのに当該契約チャンネルを続けて選局することになる状態を排除することができる。
【００１３】
【発明の実施の形態】
以下、この発明の実施形態を図１及び図２に基づいて説明するが、ここではＢＳ（Ｂｒｏａｄｃａｓｔｉｎｇ　Ｓａｔｅｌｌｉｔｅ）ディジタル放送を受信する構成を例示している。図１はこの実施形態のディジタル放送受信装置３０を示したブロック図であり、図２は制御内容を示したフローチャートである。
【００１４】
アンテナ１は、屋外において所定の方向に向けて配置されており、ＢＳから送られてくるディジタル放送信号を受信する。このアンテナ１は一般に周波数変換器を備え、受信／周波数変換した信号をチューナ２に与える。
【００１５】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１６】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組表データ（番組名、番組開始時刻、番組内容情報、番組ジャンル情報等）等をＣＰＵ１３に供給し、データ放送データをＢＭＬ（ＸＭＬ）ブラウザ２０に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１７】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００１８】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００１９】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２０】
スケーラ／ＯＳＤ回路１２はブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ　Ｐｒｏｇｒａｍ　Ｇｕｉｄｅ）表示、データ放送表示、メニュー画面表示などが行えることになる。
【００２１】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２２】
メモリ（ＲＡＭ、ＥＥＰＲＯＭ、フラッシュメモリ等）１４には、ＥＰＧ画面などを表示するための番組表データの他、データ放送データなどが格納される。また、このメモリ１４には契約チャンネルテーブルが設定されており、このテーブルには、契約チャンネルの受信履歴情報、契約チャンネルの契約更新予定情報の取得日等が格納される。契約チャンネルの受信履歴情報は、どの契約チャンネルについていつどれくらいの時間受信したかを示す情報であり、この情報に基づいて所定期間内の受信トータル時間や最後に受信してからどれくら期間が経ったかといった情報を生成することができる。なお、受信トータル時間は、ユーザによる視聴トータル時間のみとしてもよいが、この例では、番組表データを取得するための自動起動ディジタル放送波受信の契約チャンネル選局時の受信時間も加算するようにしている。受信装置に契約チャンネルの存在を認識させるには（契約チャンネルリストを作成させるには）、例えば、ユーザが有料番組視聴契約を行った際に、メニュー画面上の契約チャンネル入力項目を選択し、この項目においてリモコン送信機１０を用いてチャンネル番号等を入力すればよい。また、契約チャンネルの契約更新予定情報の取得日は、後述するように、ＩＣカード応答があったときの日（時）をカレンダ機能により認識することで得られる。
【００２３】
モデム２２は、例えば有料放送の課金情報、双方向データサービスにおける送信データなどを伝送する際のダイヤルアップ接続においてＣＰＵ１３の制御の下で動作する。
【００２４】
ＩＣカード２１Ａは、有料放送を視聴可能にするための鍵情報（ＥＭＭ）や番組毎に課金対象となるＰＰＶ番組の購入履歴情報などをその内蔵メモリに格納する。
【００２５】
ＣＰＵ１３は、このディジタル放送受信装置３０における全体制御を行うものであるが、特にこの発明にかかる制御として、以下に示す一般的な制御に加え、”番組表データを取得するための自動起動ディジタル放送波受信の契約チャンネル選局処理”を実行する。
【００２６】
［ディジタル放送の契約更新予定情報の取得］
▲１▼ＣＰＵ１３は、契約チャンネルの受信時に受信装置３０のＩＣカード２１Ａ宛のＥＭＭセクションを受信したとき、これをＩＣカード２１Ａに送出する。ＩＣカード２１Ａからの応答（ＩＣカード応答）により、契約更新予定情報を取得したことをＣＰＵ１３は知ることになる。
▲２▼ＣＰＵ１３はＩＣカード２１Ａに対して契約更新予定情報の取得を要求することにより（通電制御情報要求コマンド発効）、契約更新予定情報（通電期間、電源保持時間、受信トランスポートストリームなどの情報）を得る。
【００２７】
［契約更新予定期間中の契約情報取得］
▲１▼契約更新予定情報（通電期間、電源保持時間、受信トランスポートストリームなどの情報）に基づき、通電期間内でユーザ非視聴状態（スタンバイ状態）のとき、ＥＭＭ受信のための回路通電を行い、指定トランスポートストリームの選択及びＥＭＭセクションの受信を指定時間行う。
▲２▼受信装置に装填しているＩＣカード宛てのＥＭＭセクションを受信したらＩＣカードに送出する。
▲３▼指定された電源保持期間が経過したら、順次、次の有料放送（契約チャンネル）の契約更新予定情報に基づいて同様の処理を行う。
▲４▼指定された全ての有料放送に対する処理を終了すると、ＥＭＭセクション受信のための回路通電を解除し、スタンバイ状態とする。
【００２８】
次に、この発明にかかる番組表データを取得するための自動起動ディジタル放送波受信の契約チャンネル選局処理の一例を図２のフローチャートに基づいて説明していく。
【００２９】
例えば、ＡＭ０時になると、受信装置は自動的に起動し、番組表データの取得処理に入るが（ステップＳ１）、このとき、メモリ１４の契約チャンネルテーブルを参照し、契約チャンネルのなかで受信トータル時間が最も短い契約チャンネルを選局する（ステップＳ２）。受信トータル時間は例えば現時点から３週間遡った時点までのものとし、例えば、先々週分と先週分を合計した時間（以下、第１合計時間という）と先週分と今週分を合計した時間（以下、第２合計時間という）に区切り、次の週に入ると第１合計時間の記憶領域に第２合計時間をコピーし、第２合計時間の記憶領域はクリアし、この記憶領域にその週の視聴時間を記録していけばよい。
【００３０】
次に、選択した契約チャンネルの受信状態において、番組表データの取得と契約更新予定情報の取得のための処理を開始する（ステップＳ３）。そして、番組表データの取得のための設定時間内かどうかを判断する（ステップＳ４）。契約更新予定情報は当該受信状態に入ると直ぐに得られる場合もあれば、番組表データの取得のための設定時間内に得られない場合もある。ステップＳ４において前記設定時間内である場合は、受信トータル時間が所定時間（例えば、６０分とする）を越えたかどうかを判断する（ステップＳ５）。越えていない場合にはステップＳ４に戻るが、越えたときには、契約チャンネルテーブルにおける当該契約チャンネルの受信時間情報を更新し（ステップＳ６）、ステップＳ２に戻って次の契約チャンネルを選局する。これにより、一つの契約チャンネルについての選局状態が長く続いてしまうといった事態を防止できる。ステップＳ４において、前記設定時間内でないとされた場合は、契約チャンネルテーブルにおける当該契約チャンネルの受信時間情報を更新し（ステップＳ６）、選局チャンネルをラストチャンネルに戻し、スタンバイ状態とする（ステップＳ８）。
【００３１】
番組表データの取得のための設定時間は、ＥＩＴ（Ｅｖｅｎｔ　Ｉｎｆｏｒｍａｔｉｏｎ　Ｔａｂｌｅ）の最大再送周期の数倍に設定されることが多く、その時間だけで全ての契約チャンネルの契約更新予定情報の取得ができなかったとしても、数日のうちには契約更新予定情報の取得ができるものと考えられる。
【００３２】
また、上記の例では、３週間内の受信トータル時間の少ないもの順に契約チャンネルを選定することとしたが、３週間に限るものではない。また、このような一定期間内の受信トータル時間ではなく、最後に受信した時から現時点までの期間が長い方の契約チャンネルを優先して選局するようにしてもよい。この場合、最後に受信した時が例えば数秒間であったような場合は、これを無視してその前の受信時を最後の受信時とするのがよい。その他、最後の契約更新予定情報の取得日から現時点までの期間が長い方の契約チャンネルを優先して選局するといった処理も有効である。
【００３３】
また、上記の例では、契約チャンネルの受信トータル時間が所定時間（上記例では６０分）を越えたときに次の契約チャンネルを選局するようにしたが（ステップＳ５，ステップＳ２参照）、契約更新予定情報が取得できたときには前記所定時間内でも直ちに次の契約チャンネルを選局するようにしてもよい。これによれば、契約更新予定情報が取得できたのに当該契約チャンネルを続けて選局することになる状態を排除することができる。また、上記の所定時間については、固定とせずに過去の契約更新予定情報の取得歴などから各契約チャンネルごとに変化させ得るようにしてもよい。
【００３４】
【発明の効果】
以上説明したように、この発明であれば、番組表データを取得するための自動起動ディジタル放送波受信に際しては契約チャンネルが選局されることになり、契約チャンネルが選局されれば、契約更新予定情報の取得が可能になり、この契約更新予定情報に基づいて自動起動して契約チャンネルの視聴に必要な更新情報を分離して保存することができるので、ユーザが契約チャンネルを長期間視聴しなかった場合でも契約更新を可能にすることができる。前記契約チャンネルに関する情報として各契約チャンネルの受信履歴情報及び／又は契約更新予定情報の取得日を記憶手段に格納し、番組表データを取得するための自動起動ディジタル放送波受信に際してどの契約チャンネルを選局するかを前記受信履歴情報及び／又は契約更新予定情報の取得日に基づいて選定する構成であれば、契約更新予定情報の取得を急ぐべき契約チャンネルから優先して受信チャンネルとされることになる。
【図面の簡単な説明】
【図１】この発明の実施形態のディジタル放送受信装置を示したブロック図である。
【図２】処理内容を示したフローチャートである。
【符号の説明】
１　　アンテナ
２　　ＢＳディジタルチューナ
３　　デマルチプレクサ（ＤＥＭＵＸ）
４　　ＡＶデコーダ
１２　スケーラ／ＯＳＤ回路
１３　ＣＰＵ
１４　メモリ
【図１】
2004072205.tif 000003
【図２】
2004072205.tif 000004